(57)【要約】      （修正有）【課題】店側が集客と販売促進のため、特定のセールス商品の仕入れ、各種広告宣伝によって、それを図るのではなく、来店客に割引商品の決定を委ねる販売方法に使用するクーポンシートを提供する。【解決手段】上面に、印刷面を有するシート材１と、感圧性接着剤層を介し、下面に剥離紙とを有するシート本体Ｘを設け、前記シート材には、複数の、円形状あるいは非円形状の切り剥がし可能なラベル４を設け、  該ラベルには、値引きする金額、あるいは割合等の表示５を記載し、前記シート材は、複数の異なった色彩で印刷して該クーポンシートを構成する。さらに、前記ラベル４は、複数の異なった色彩で印刷し、前記剥離紙には、バーコード、或いはＱＲコード（登録商標）等の情報記号を印刷しても良い。【選択図】図１
0003152914.tif 000002
【実用新案登録請求の範囲】
【請求項１】
上面に、印刷面を有するシート材（１）と、感圧性接着剤（２）層を介し、下面に剥離紙（３）とを有するシート本体（Ｘ）を設け、前記シート材（１）には、複数の、円形状あるいは非円形状の切り剥がし可能なラベル（４）を設け、  該ラベル（４）には、値引きする金額、あるいは割合等の表示（５）を記載し、前記シート材（１）は、複数の異なった色彩で印刷したことを特徴とするクーポンシート。
【請求項２】
上面に、印刷面を有するシート材（１）と、感圧性接着剤（２）層を介し、下面に剥離紙（３）とを有するシート本体（Ｘ）を設け、前記シート材（１）には、複数の、円形状あるいは非円形状の切り剥がし可能なラベル（４）を設け、  該ラベル（４）には、値引きする金額、あるいは割合等の表示（５）を記載し、前記シート材（１）は、複数の異なった色彩で印刷し、前記剥離紙（３）には、バーコード、或いはＱＲコード等の情報記号（６）を印刷したことを特徴とするクーポンシート。
【考案の詳細な説明】
【技術分野】
【０００１】
この考案は、スーパーマーケット等において使用するクーポンシートに関するものである。
【背景技術】
【０００２】
従来、食料品を主に扱うスーパーマーケット等においては、集客のための手段として特定日による値引き特売が主たるセールとなっている。
【０００３】
そして、その為にセール用商品を特別に仕入れ、その告知と集客のためのチラシ等の制作、新聞折り込み、テレビコマーシャル等を実施し、売上の促進を図っている。
【０００４】
しかし、この場合、店側は告知と集客のための制作物の制作のために、セール実施のかなり以前から、特売商品の仕入れ、各種告知のための準備にあたらねばならない。この作業は大変に煩雑であり、また、そのための経費、労力も非常に多くのものを必要としている。
【先行技術文献】
【特許文献】
【０００５】
【特許文献１】なし
【考案の概要】
【考案が解決しようとする課題】
【０００６】
そのため、従来のように、店側が、セール用商品を特別に仕入れ、その告知と集客のためのチラシ等の制作、新聞折り込み、テレビコマーシャル等を実施するのではなく、通常の店頭商品によって、割引特売のセールを可能にし、セールに係る経費、労力の削減を可能にするクーポンシートを開発するものである。
【課題を解決するための手段】
【０００７】
上記の課題を解決するため、この考案は、店側来店客を対象に、事前に店側において使用可能日と割引する金額を定め、明記した剥離可能な複数枚のシールを印刷したクーポンシートを発行、配布する。来店客はこのクーポンシートを発行者が指定する利用可能日に発行者の定める利用方法によって、利用することにより従来の割引特売のセールと同様のサービスの提供を受けることを可能にするものである。
【考案の効果】
【０００８】
この考案によると、
１）  クーポンシートを用いることにより、店側は、一部商品を除く、店内ほとんどの通常展示商品を対象にすることが可能になり、セール用商品を特別に仕入れ、その告知と集客のためのチラシ等の制作、新聞折り込み、テレビコマーシャル等のための経費、労力を大幅に削減することが可能になり、極めて有益なる効果を奏する。
２）  また、来店客は、クーポンシートで自由に自分の好きな商品を割引商品として選ぶことが可能になる。
３）  特別な商品仕入れ等を必要としないことにより、売れ残り商品の廃棄等もなくすことが可能になり、環境保全の観点からも極めて有益なる効果を有する。
４）  さらに、クーポンシートに印刷した情報記号により、例えば，顧客に人気のある商品の情報を得るとかの顧客対策に利用できる等極めて有益なる効果を奏する。
【図面の簡単な説明】
【０００９】
【図１】この考案の一実施例を示す平面図である。
【図２】この考案の一実施例を示し、図１中Ｉ−Ｉ断面図である。
【図３】この考案の一実施例を示す一部欠截平面図である。
【図４】この考案の使用状態を示す斜視図である。
【考案を実施するための形態】
【００１０】
以下、本考案について詳細に説明する。なお、本考案においては、以下の記述に限定されるものではなく、本考案の要旨を逸脱しない範囲においては適宜変更可能である。
【実施例】
【００１１】
本考案の一実施例を図１に基づいて詳述すると、上面に、印刷面を有するシート材（１）と、感圧性接着剤（２）層を介し、下面に剥離紙（３）とを有するシート本体（Ｘ）を設け、前記シート材（１）には、複数の、円形状あるいは非円形状の切り剥がし可能なラベル（４）を設け、  該ラベル（４）には、値引きする金額、あるいは割合等の表示（５）を記載し、前記シート材（１）は、複数の異なった色彩で印刷したことを特徴とするクーポンシートから構成されるものである。
【００１２】
そして、図３に示すように、クーポンシート（Ｘ）、あるいは剥離紙（３）に、バーコード、或いはＱＲコード等の情報記号（６）を印刷しておき、店側がこれら記号情報（６）をスキャナー等の電子機器を使用して読み取ることにより、顧客と商品との関連性等についての調査材料とするものであり、各種の抽選機能を設けることもできる。
【００１３】
さらに、クーポンシート（Ｘ）は、複数の異なった色彩で印刷することにより、日にちを変更したり、月ごとに変更して使用させて、色彩の相違によってクーポンを管理できるようにしてもよい。
【００１４】
また、各切り取りラベル（４）は、予め、シート材（１）より、カットされており、感圧性接着剤（２）層を介し、下面に剥離紙（３）に貼り付けられているものである。
【００１５】
そして、切り取りラベル（４）は、図面においては円形のものを６個示したが、円形状あるいは非円形状であり、非円形状とは、円形以外の、楕円状、矩形状、多角形状等のすべての形状をいうものであり、切り取りラベル（４）の個数も、図面に示されたように、６個に限定されるものではない。
【産業上の利用可能性】
【００１６】
この考案のよると、スーパーマーケット等における使用するクーポンシートの技術を確立し、それに基づいて大量に製造・使用・販売することにより、産業上の利用可能性があるものである。
【符号の説明】
【００１７】
１  シート材
２  剥離紙
３  感圧接着剤
４  切り取り部
５  情報記号
Ｘ  クーポンシート
Ｙ  商品
【図１】
0003152914.tif 000003
【図２】
0003152914.tif 000004
【図３】
0003152914.tif 000005
【図４】
0003152914.tif 000006
【手続補正書】
【提出日】平成21年6月10日(2009.6.10)
【手続補正１】
【補正対象書類名】実用新案登録請求の範囲
【補正対象項目名】請求項２
【補正方法】変更
【補正の内容】
【請求項２】
上面に、印刷面を有するシート材（１）と、感圧性接着剤（２）層を介し、下面に剥離紙（３）とを有するシート本体（Ｘ）を設け、前記シート材（１）には、複数の、円形状あるいは非円形状の切り剥がし可能なラベル（４）を設け、  該ラベル（４）には、値引きする金額、あるいは割合等の表示（５）を記載し、前記シート材（１）は、複数の異なった色彩で印刷し、前記剥離紙（３）には、バーコード、或いはＱＲコード（登録商標）等の情報記号（６）を印刷したことを特徴とするクーポンシート。
【手続補正２】
【補正対象書類名】明細書
【補正対象項目名】００１２
【補正方法】変更
【補正の内容】
【００１２】
そして、図３に示すように、クーポンシート（Ｘ）、あるいは剥離紙（３）に、バーコード、或いはＱＲコード（登録商標）等の情報記号（６）を印刷しておき、店側がこれら記号情報（６）をスキャナー等の電子機器を使用して読み取ることにより、顧客と商品との関連性等についての調査材料とするものであり、各種の抽選機能を設けることもできる。